(57)【要約】【課題】通函のコストに重要な影響を与える要因を見つけ出してそれらからコスト関数を定式化し、この関数に基づいて通函コストをシミュレートするシステムを提供することである。【解決手段】通函の単位当りコストに影響を与える要因を変数Ｖｉとして関数を定式化し、ステップＳ2 、Ｓ3 で変数Ｖｉの値を一定の範囲で設定して、ステップＳ5 、Ｓ6 、Ｓ7 で全ての変数について上記関数に基づいて演算を行ない、その結果をステップＳ8 で出力する。【選択図】図３
2005107656.tif 000002
【特許請求の範囲】
【請求項１】
通函単位当りコストをＳとしたとき、
Ｓ＝ａｘ（１／ｒ＋Ｓｔ／Ｒ＋ｌ／１００）＋Ｍ＋Ａ、ここで変数ａｘは通函単価、ｒは通函の耐使用回数、Ｓｔは通函の投入倍数、Ｒは通函の償却月数、ｌは通函のロス率（％）、Ｍは通函の回収費、Ａは通函の管理費とする関数式を立て、
前記全ての変数の値をコンピュータに入力する処理部と、入力された値から上記関数に基づいてＳを演算するシミュレーション処理部と、演算結果を出力する出力処理部と、から成る梱包材再使用のシミュレーションシステム。
【請求項２】
前記出力処理部は演算結果をＳとａｘの軸から成る二次元プロットまたは曲線で表すようにした請求項１に記載の梱包材再使用のシミュレーションシステム。
【発明の詳細な説明】
【技術分野】
【０００１】
この発明は、梱包材を再使用する際のコストをシミュレートするシステムに関する。
【背景技術】
【０００２】
通常、物品を包装する梱包材には、ワンウェイ包装用と所謂通函（かよいばこ）といわれる複数回反復使用可能なものがある。ワンウェイ包装用梱包材の単位当りコストとは、その梱包材の価格であり、コスト管理も簡単であるが、社会的にみた環境会計の点では最もコスト高であることはよく知られている。
【発明の開示】
【発明が解決しようとする課題】
【０００３】
一方、通函の単位当りコストは、一般に、通函の単価を使用回数で除し、これに回収費用を加えたものと考えられてきた。しかしながら、単純にそれだけの要因しかないとすればコスト計算を見誤るおそれがある。そしてまた、通函のコストが種々の要因で変動するとすれば、実際のコスト計算において、どの要因がどのように変化すればコストがどのようになるかを見極める必要が生じる。
【０００４】
そこで、この発明の課題は、通函のコストに重要な影響を与える要因を見つけ出してそれらからコスト関数を定式化し、この関数に基づいて通函コストをシミュレートするシステムを提供することである。
【課題を解決するための手段】
【０００５】
上記の課題を解決するために、この発明においては、通函単位当りコストをＳとしたとき、Ｓ＝ａｘ（１／ｒ＋Ｓｔ／Ｒ＋ｌ／１００）＋Ｍ＋Ａ、ここで変数ａｘは通函単価、ｒは通函の耐使用回数、Ｓｔは通函の投入倍数、Ｒは通函の償却月数、ｌは通函のロス率（％）、Ｍは通函の回収費、Ａは通函の管理費とする関数式を立て、前記全ての変数の値をコンピュータに入力する処理部と、入力された値から上記関数に基づいてＳを演算するシミュレーション処理部と、演算結果を出力する出力処理部を設けたのである。
【０００６】
前記出力処理部は演算結果をＳとａｘの軸から成る二次元プロットまたは曲線で表すようにしてある。
【発明の効果】
【０００７】
この発明によれば、以上のように、通函のコストを形成する要因を見つけ出し、それらを定式化して通函コストのシミュレーションを行なうことができるようにしたので、適正なコスト及び運用方法を導き出す有用な手法を提供することができる。
【発明を実施するための最良の形態】
【０００８】
以下この発明の実施形態を添付図面に基づいて説明する。まず、この発明のシミュレーションシステムには、例えば図１に示すようなコンピュータが用いられる。図示のように、中央演算装置１には、キーボード２やポインタ３（マウス、トラックボール、タッチボードなど）、外部記憶装置４、ディスプレイ５、プリンタ６等の入出力装置が接続され、外部記憶装置４にはシミュレーションプログラムが格納されている。
【０００９】
上記プログラムの基本構造は、図２に示すようにシミュレータ１０の変数を設定するプログラム１１と、計算結果を出力するプログラム１２より成る。変数の設定は、キーボード２やポインタ３を用いて行われ、計算結果は、ディスプレイ５やプリンタ６に出力される。勿論外部記憶装置４に出力し記録しておくことができる。
【００１０】
上記シミュレータ１０は、次式に基づいて単位当り梱包コストを計算するものである。いま、単位当り梱包コストをＳとすれば、Ｓは次の関数で表わされる。
Ｓ＝ａｘ（１／ｒ＋Ｓｔ／Ｒ＋ｌ／１００）＋Ｍ＋Ａ・・・（１）
ここでａｘは通函単価、ｒは通函の耐使用回数、Ｓｔは通函の投入倍数即ち製品の輸送（移動）月数と通函が返送されている移動月数及び通函がストックされている月数の和、Ｒは通函の償却月数、ｌは通函の破損等によるロス率（％）、Ｍは通函の回収費、Ａは通函の管理費である。
【００１１】
次に図３のフローチャートに従ってシミュレーションの過程を説明する。まず、ステップＳ1 で変数Ｖｉ（ａｘ，ｒ，Ｓｔ，Ｒ，ｌ，Ｍ，Ａを順にＶ1 ・・・Ｖｉとする）が可変値か固定値かをセットし、固定値の場合はステップＳ2 でその値を設定する。可変値の場合は、ステップＳ3 で複数の数値を設定してもよいが、数値の範囲とその変化率を設定してもよい。また、可変数を一定の式で表わしてもよい。これらの全ての変数Ｖｉについて設定を行なう。
【００１２】
設定が終了すれば（ステップＳ4 ）ステップＳ5 でシミュレーションを行なう。ここで変数ＭとＡは通常ほぼ一定であり、かつコストに上載せされる費用であるから、コストの変動要因としての影響は少ない。そこで（１／ｒ＋Ｓｔ／Ｒ＋ｌ／１００）の組合せが重要となる。ここで、Ｓｔ／Ｒはほぼ一定で、かつｒとｌはａｘの関数であって、ｒはａｘにほぼ正比例し、ｌはａｘにほぼ反比例するものとすれば、前記組合せは多くとも１０2 オーダであるから、全ての組合せについて演算を行なってもステップＳ5 、Ｓ6 、Ｓ7 でわずかの時間しか必要としない。この演算結果をステップＳ8 で通函の単価ａｘとコストＳの軸でプロットすれば、例えば図４のようになる。また、図５に示すように、組合せごとのプロットに沿った曲線で表示してもよい。これによって効率的な通函のコスト及び運用方法を見つけ出すことができる。
【００１３】
なお、変数Ｖｉについて一定の式が定められれば、目的関数をＳとして、数理計画法によって最適解を見出すこともできる。
【図面の簡単な説明】
【００１４】
【図１】この発明のシステムに用いるハードウェアの構成を示す概略線図
【図２】この発明のシステムに用いるソフトウェアの構成を示すブロック図
【図３】この発明のシステムに用いるプログラムのフローチャート
【図４】出力様式の一例を示すグラフ
【図５】出力様式の他の例を示すグラフ
【符号の説明】
【００１５】
１      中央演算装置
２      キーボード
３      ポインタ
４      外部記憶装置
５      ディスプレイ
６      プリンタ
１０    シミュレータ
１１    変数設定プログラム
１２    演算結果出力プログラム
Ｓ1 〜Ｓ8   処理ステップ
【図１】
2005107656.tif 000003
【図２】
2005107656.tif 000004
【図３】
2005107656.tif 000005
【図４】
2005107656.tif 000006
【図５】
2005107656.tif 000007